(57)【特許請求の範囲】
【請求項１】
車両に固定されて操作ハンドルを保持するハンドルベースと、
ハンドルベースに装着されて初期位置と作動位置との間で回転自在な回転動作部品と、
スプリング巻装軸に巻装されて回転動作部品を初期回転位置に付勢するトーションスプリングと、
トーションスプリングのコイル部外周に当接して該コイル部の径方向への移動を規制するコイル規制部と、
を有し、
前記スプリング巻装軸は、一端部が他端部に比して大径の段付きピン形状に形成され、
前記コイル規制部は、スプリング巻装軸の小径側端部から中間部までの間に配置される車両のハンドル装置。
【請求項２】
前記トーションスプリングは、回転動作部品に形成されるスプリング巻装軸に巻装される請求項１記載の車両のハンドル装置。
【請求項３】
前記コイル規制部は杆状に形成されて、コイル部の鋭角中心角母線領域に当接可能な請求項１または２記載の車両のハンドル装置。
【請求項４】
前記コイル規制部は、コイル部の一端部から長手方向中間部までの間に配置される請求項１、２または３記載の車両のハンドル装置。
【発明の詳細な説明】
【技術分野】
【０００１】
本発明は、車両のハンドル装置に関するものである。
【背景技術】
【０００２】
車両に固定されるハンドルベースに回転動作部品を回転操作可能に軸支した車両のハンドル装置としては、特許文献１に記載のものが知られている。
【０００３】
この従来例において、ハンドルベースには、回転動作部品としての操作ハンドルが枢軸回りに回転自在に軸支される。操作ハンドルは、初期回転位置と操作回転位置との間で回転自在であり、枢軸に巻装されるトーションスプリングにより初期回転位置側に付勢される。
【先行技術文献】
【特許文献】
【０００４】
【特許文献１】特開２００３-２０１７７７号公報
【発明の概要】
【発明が解決しようとする課題】
【０００５】
しかし、上述した従来例において、操作ハンドルを操作してトーションスプリングに撓み方向の操作力を付与すると、トーションスプリングのコイル部には、縮径方向の変形に加え、コイル部を折り曲げ、あるいはコイル間を径方向にずらす力が付与されるために、操作角、操作時のコイル部の折れ曲がり、あるいはコイル部の内周と枢軸とのクリアランスによっては、コイル部の内周が枢軸に当接することがあり、操作時に異音が発生する虞がある。
【０００６】
また、枢軸に対してトーションスプリングの内径が過大であると、トーションスプリングの設置姿勢が変化し、荷重は、コイル部における撓み角の変化に加え、コイル部の曲がり、コイル間のずれ等により消費されるために、所与のバネ性能が発揮されないという問題がある。
【０００７】
本発明は、以上の欠点を解消すべくなされたものであって、動作時におけるトーションスプリングの内周と枢軸との干渉を防止することによって、操作時の異音発生を防止することのできる車両のハンドル装置の提供を目的とする。
【課題を解決するための手段】
【０００８】
本発明によれば、上記目的は、
車両に固定されて操作ハンドル１を保持するハンドルベース２と、
ハンドルベース２に装着されて初期位置と作動位置との間で回転自在な回転動作部品３と、
スプリング巻装軸４に巻装されて回転動作部品３を初期位置に付勢するトーションスプリング５と、
トーションスプリング５のコイル部６外周に当接して該コイル部６の径方向への移動を規制するコイル規制部７と、
を有し、
前記スプリング巻装軸４は、一端部が他端部に比して大径の段付きピン形状に形成され、
前記コイル規制部７は、スプリング巻装軸４の小径側端部から中間部までの間に配置される車両のハンドル装置を提供することにより達成される。
【０００９】
車両のハンドル装置のハンドルベース２には回転動作部品３が初期位置と作動位置との間で回転自在に装着され、回転動作部品３を初期位置に付勢するためにスプリング巻装軸４にトーションスプリング５が巻装される。回転動作部品３は、操作ハンドル１であっても、あるいは後述する出力レバーのように、操作ハンドル１以外の部品であってもよい。
【００１０】
本発明において、トーションスプリング５は、コイル部６の外周部の移動範囲がコイル規制部７により規制されて、コイル部６の湾曲、傾斜等によってコイル部６が径方向に移動しても、コイル部６の内周とスプリング巻装軸４とが当接することがないために、回転操作部品の回転動作に伴う摺接、あるいは摺接部位への固形粉末の噛み込む異音発生が確実に防がれる。
【００１１】
また、コイル部６の並進移動等が防止されるために、スプリング巻装軸４をコイル部６の内径に近接させることが可能になるために、トーションスプリング４の取付姿勢を安定させることが可能になり、トーションスプリング４に設計値に近いバネ性能を付与することが可能なる。
【００１２】
トーションスプリング５は、回転動作部品３が枢軸周りに軸支される場合には枢軸をスプリング巻装軸４として使用することも可能であるが、枢軸が挿通し、あるいは両端がハンドルベース２に直接回転自在に連結するスプリング巻装軸４を回転動作部品３に形成することもできる。
【００１３】
コイル規制部７は、コイル部６の外周がほぼ半周にわたって嵌合するような凹部として形成することも可能であるが、
前記コイル規制部７は杆状に形成されて、コイル部６の鋭角中心角母線領域に当接可能車両のハンドル装置を構成すると、トーションプリングを装着する際の障害要素が少なくなるために、トーションスプリング５の装着作業性の低下を防ぐことができる。
【００１５】
トーションスプリング５は、いずれか一方の係止脚５ａ（固定側）をハンドルベース２に、他方の係止脚５ｂ（可動側）を回転動作部品３に係止した状態で使用され、可動端側に負荷が与えられた際は、取り付け状態によっていずれか一方にコイル部６間のずれ等を生じさせる力が発生する。
【００１６】
スプリング巻装軸４を段付きピン形状とする本発明において、例えば、径方向の移動が多い方のスプリング巻装軸４の径を小径にし、移動量の少ない側を大径とする段付きピンとして形成すると、大径側でコイル部６の位置規制を行うことができるために、全体としてトーションスプリング５を設計時の姿勢で使用することが可能になり、トーションプリング５の設置姿勢を安定させることができる。
【００１７】
また、コイル規制部７は、コイル部６の全長にわたって移動を規制するように構成することも可能であるが、上述したように、コイル部６の変形による径方向の移動は、両端において均等ではなくなる。
【００１８】
したがって、前記前記コイル規制部７は、コイル部６の一端部から長手方向中間部までの間の移動を規制する車両のハンドル装置を構成すると、トーションプリングを装着する際の障害要素が少なくなるために、トーションスプリング５の装着作業性の低下を防ぐことができる。
【００１９】
コイル規制部７による規制範囲は、コイルの径方向の移動が多い方の端部を実験的、あるいは計算により求めて決定される。
【００２０】
この場合、コイル規制部７による規制範囲と、スプリング巻装軸４の小径部４ａとを対応させることにより、トーションスプリング５の姿勢制御と、異音発生防止を最適に行うことが可能になる。
【００２１】
また、コイル部６の移動が想定される側のスプリング巻装軸４を小径とすることにより、コイル部６の径方向への移動をより多く許容することが可能になるために、回転初期におけるコイル部６の径方向の移動をスプリング巻装軸４と小径部４ａとの間に形成されるクリアランスで吸収し、回転後期における移動のみをコイル規制部７により規制するようにすることができる。このように構成すると、コイル部６外周とコイル規制部７とを常時、あるいは回転動作の早い段階で当接させる必要がなくなるために、外周部での摺接を最小限に抑えることが可能になる。
なお、本発明によれば、
車両に固定されて操作ハンドル１を保持するハンドルベース２と、
ハンドルベース２に装着されて初期位置と作動位置との間で回転自在な回転動作部品３と、
スプリング巻装軸４に巻装されて回転動作部品３を初期位置に付勢するトーションスプリング５と、
トーションスプリング５のコイル部６外周に当接して該コイル部６の径方向への移動を規制するコイル規制部７と、
を有する車両のハンドル装置を提供することも可能である。
【発明の効果】
【００２２】
本発明によれば、動作時におけるトーションスプリングの内周とスプリング巻装軸との干渉を防止することができるために、操作時の異音発生を確実に防ぐことができる。
【図面の簡単な説明】
【００２３】
【図１】本発明を示す図で、（ａ）は平面図、（ｂ）は（ａ）の１Ｂ方向矢視図である。
【図２】本発明の要部を示す図で、（ａ）は図１（ｂ）の２Ａ方向矢視図、（ｂ）は図２（ａ）の２Ｂ-２Ｂ線断面図である。
【図３】本発明の動作を示す図で、（ａ）は図２（ｂ）の３Ａ-３Ａ線断面図、（ｂ）は操作ハンドルを作動位置に回転させた状態の図２（ｂ）の３Ａ-３Ａ線断面図、（ｃ）はトーションスプリングを示す図、（ｄ）は図３（ｃ）の３Ｄ方向矢視図である。
【図４】本発明の動作を示す図で、（ａ）は図２（ｂ）の４Ａ-４Ａ線断面図、（ｂ）は操作ハンドルを作動位置に回転させた状態の図２（ｂ）の４Ａ-４Ａ線断面である。
【発明を実施するための形態】
【００２４】
図１以下に示すように、ハンドル装置は、図外のドアパネルに固定されるハンドルベース２と、ハンドルベース２に連結される操作ハンドル１とを有して形成される。
【００２５】
図１（ｂ）に示すように、操作ハンドル１は、一端部にヒンジ脚１ａを有しており、該ヒンジ脚１ａの凹部１ｂをハンドルベース２に形成されるヒンジ突部２ａに嵌合させ、嵌合部を回転中心とした回転操作が可能なようにハンドルベース２に連結される。操作ハンドル１のヒンジ突部２ａとの嵌合解除方向の移動を規制するために、ハンドルベース２には、ストッパブロック８が連結される。
【００２６】
ハンドル装置のドアへの取り付けは、ハンドルベース２をドアパネルの内壁に沿わせて固定した後、ドア外側から操作ハンドル１を連結し、次いで、ドア外側からストッパブロック８をハンドルベース２に連結して行われる。
【００２７】
また、上記ハンドルベース２にはヒンジ突片９間に架設される枢軸１０周りに回転動作部品３としての出力レバーが回転自在に連結される。出力レバー３は入力部３ａと出力部３ｂとを有しており、アーム状に形成される入力部３ａは、操作ハンドル１の一端に形成される係止部１ｃに係止するとともに、出力部３ｂには、ケーブル装置等を介してドア内に配置されるドアロック装置１１に連結される。
【００２８】
以上の構成の下、操作ハンドル１を図１（ｂ）において実線で示す初期位置から鎖線で示す動作位置まで回転操作すると、図３（ａ）、（ｂ）に示すように、操作ハンドル１の一端は矢印（Ｈ）方向に移動する。操作ハンドル１の移動に伴って係止部１ｃが矢印方向（Ｈ）に移動すると、出力レバー３は図３に示す初期位置から反時計回りに回転し、図４に示す作動位置に移動し、ドアロック装置１１を作動させる。
【００２９】
上記出力レバー３を初期位置側に付勢するために出力レバー３にはトーションスプリング５が巻装される。トーションスプリング５は、出力レバー３の入力部３ａに操作ハンドル１の係止部１ｃを押さえ付ける方向の付勢力を付与し、該操作ハンドル１を初期位置に保持する。
【００３０】
図３（ｃ）、（ｄ）に示すように、トーションスプリング５は、コイル部６の両端に係止脚５ａ、５ｂを有しており、一方が固定端としてハンドルベース２に、他方が可動端として出力レバー３に外嵌されるカウンタウエイト１２に係止され、付勢力はカウンタウエイト１２を経由して出力レバー３に伝達される。カウンタウエイトは、図３（ａ）、（ｂ）の状態で時計回り方向に出力レバー３に係止するとともに、この状態から反時計回りには出力レバー３に対して独立に回転可能であり、車両への側方衝突時の操作ハンドル１の慣性によるドア開放方向への操作力を相殺するために設けられる。
【００３１】
上記出力レバー３の軸支する枢軸１０は、図２に示すように、ハンドルベース２の長手方向に沿って装着され、出力レバー３は、筒状部３ｃ内に枢軸１０を挿通させることによって枢軸１０周りに保持される。図２（ｂ）に示すように、筒状部３ｃは一端部において上記カウンタウエイト１２を回転自在に保持し、反対端部にトーションスプリング５を巻装するスプリング巻装軸４が形成される。スプリング巻装軸４は、可動端側に対応する端部が他端に比して大径とされ、トーションスプリング５の内径は大径部４ｂよりやや大径に形成される。
【００３２】
また、ヒンジ突片９にはコイル規制部７が突設される。コイル規制部７は、図３（ｃ）に示すように、係止脚５ａに荷重を負荷した際のコイル部６に発生する並進移動移動力（図３（ｃ）において矢印Ｆ方向）による移動を規制する位置に配置される。このコイル規制部７は、中心角（θ）が鋭角となるコイル部６の外周領域に対応するように杆状に形成され、該ヒンジ突片９からスプリング巻装軸４の中間部まで延設される。
【００３３】
また、上述したスプリング巻装軸４の小径部４ａは、コイル規制部７によりコイル部６の移動が規制される側の領域に配置される。
【００３４】
したがってこの実施の形態において、操作ハンドル１を操作して出力レバー３を回転動作させると、トーションスプリング５のコイル部６は縮径しながら径方向に移動するが、コイル部６の内周がスプリング巻装軸４の外周に当接する前に外周がコイル規制部７に当接して径方向の移動が規制され、内周の摺接による異音の発生が防がれる。
【符号の説明】
【００３５】
１        操作ハンドル
２        ハンドルベース
３        回転動作部品
４        スプリング巻装軸
５        トーションスプリング
６        コイル部
７        コイル規制部
【図１】
0006022800.tif 000002
【図２】
0006022800.tif 000003
【図３】
0006022800.tif 000004
【図４】
0006022800.tif 000005